(57)【要約】【課題】細かな確認を要することなく、想定していた印刷物を得ることが可能な印刷指示装置、印刷指示プログラム及び印刷指示方法を提供する。【解決手段】印刷指示装置１は、印刷が指示されると、ユーザによって予め設定されて記憶された印刷設定を示すお気に入り情報をアイコン３０１で表示し、表示されたアイコン３０１が指定されると、指定されたアイコン３０１が示す印刷設定で印刷機器に印刷を指示する。また、印刷指示装置１は、現在の印刷設定と、複数のアイコン３０１が示す印刷設定のいずれか１つとが一致する場合には、そのアイコン３０１ｂについて他のアイコン３０１ａ，３０１ｃ〜３０１ｅとは、異なった表示を行う。【選択図】図７
2010079470.tif 000002
【特許請求の範囲】
【請求項１】
印刷を行う印刷機器に対して印刷を指示する印刷指示装置であって、
前記印刷機器に印刷を指示する印刷指示操作を受け付ける印刷指示操作受付手段と、
前記印刷指示操作受付手段により印刷指示操作を受け付けた場合、ユーザによって予め設定されて記憶された印刷設定を示すお気に入り情報をアイコン化して表示する表示手段と、
前記表示手段によりアイコン化されて表示されたお気に入り情報を指定する指定操作を受け付ける指定操作受付手段と、
前記指定操作受付手段によりアイコン化されて表示されたお気に入り情報に対する指定操作を受け付けた場合に、指定されたお気に入り情報が示す印刷設定で前記印刷機器に印刷を指示する印刷指示手段と、
を備えることを特徴とする印刷指示装置。
【請求項２】
前記表示手段がお気に入り情報をアイコン化して表示する時間についての入力操作を受け付ける時間設定操作受付手段をさらに備える
ことを特徴とする請求項１に記載の印刷指示装置。
【請求項３】
前記表示手段は、前記時間設定操作受付手段を介して入力された時間だけ、お気に入り情報をアイコン化して表示し、
前記印刷指示手段は、前記指定操作受付手段により指定操作が受け付けられるまえに、前記時間設定操作受付手段を介して入力された時間が経過した場合、現在の印刷設定で前記印刷機器に印刷を指示する
ことを特徴とする請求項２に記載の印刷指示装置。
【請求項４】
前記表示手段は、複数の前記お気に入り情報それぞれをアイコン化して複数表示すると共に、現在の印刷設定が前記複数のお気に入り情報が示す印刷設定のいずれか１つと合致する場合、合致するお気に入り情報に対応するアイコンを他のアイコンとは異なった形態で表示する
ことを特徴とする請求項１から請求項３のいずれか１項に記載の印刷指示装置。
【請求項５】
印刷を行う印刷機器に対して印刷を指示する印刷指示プログラムであって、
前記印刷機器に印刷を指示する印刷指示操作を受け付ける印刷指示操作受付工程と、
前記印刷指示操作受付工程において印刷指示操作を受け付けた場合、ユーザによって予め設定されて記憶された印刷設定を示すお気に入り情報をアイコン化して表示する表示工程と、
前記表示工程においてアイコン化されて表示されたお気に入り情報を指定する指定操作を受け付ける指定操作受付工程と、
前記指定操作受付工程においてアイコン化されて表示されたお気に入り情報に対する指定操作を受け付けた場合に、指定されたお気に入り情報が示す印刷設定で前記印刷機器に印刷を指示する印刷指示工程と、
をコンピュータに実行させることを特徴とする印刷指示プログラム。
【請求項６】
前記表示工程においてお気に入り情報をアイコン化して表示する時間についての入力操作を受け付ける時間設定操作受付工程を
さらにコンピュータに実行させることを特徴とする請求項５に記載の印刷指示プログラム。
【請求項７】
前記表示工程では、前記時間設定操作受付工程にて入力された時間だけ、お気に入り情報をアイコン化して表示し、
前記印刷指示工程では、前記指定操作受付工程において指定操作が受け付けられるまえに、前記時間設定受付操作工程にて入力された時間が経過した場合、現在の印刷設定で前記印刷機器に印刷を指示する
ことを特徴とする請求項６に記載の印刷指示プログラム。
【請求項８】
前記表示工程では、複数の前記お気に入り情報それぞれをアイコン化して複数表示すると共に、現在の印刷設定が前記複数のお気に入り情報が示す印刷設定のいずれか１つと合致する場合、合致するお気に入り情報に対応するアイコンを他のアイコンとは異なった形態で表示する
ことを特徴とする請求項５から請求項７のいずれか１項に記載の印刷指示プログラム。
【請求項９】
印刷を行う印刷機器に対して印刷を指示する印刷指示方法であって、
前記印刷機器に印刷を指示する印刷指示操作を受け付ける印刷指示操作受付工程と、
前記印刷指示操作受付工程において印刷指示操作を受け付けた場合、ユーザによって予め設定されて記憶された印刷設定を示すお気に入り情報をアイコン化して表示する表示工程と、
前記表示工程においてアイコン化されて表示されたお気に入り情報を指定する指定操作を受け付ける指定操作受付工程と、
前記指定操作受付工程においてアイコン化されて表示されたお気に入り情報に対する指定操作を受け付けた場合に、指定されたお気に入り情報が示す印刷設定で前記印刷機器に印刷を指示する印刷指示工程と、
を有することを特徴とする印刷指示方法。
【発明の詳細な説明】
【技術分野】
【０００１】
本発明は、印刷指示装置、印刷指示プログラム及び印刷指示方法に関する。
【背景技術】
【０００２】
従来、プリンタなどの印刷機器に対して印刷を指示する印刷指示装置が知られている。この印刷指示装置において、印刷設定の内容を確認するためにはプリンタドライバの設定画面を印刷の度に開き、確認する必要があった。また、印刷指示装置を操作するユーザには、プリンタドライバの設定画面を開くことについて煩わしさを感じ、設定画面すら開くことなく印刷を行って、想定していた印刷物を得ることができなくなってしまうことがあった。
【０００３】
そこで、アプリケーションから印刷指示を行った場合に、プリンタドライバの印刷設定画面を自動的に表示する印刷指示装置が提案されている（特許文献１参照）。
【特許文献１】特開２００３−１５８４３号公報
【発明の開示】
【発明が解決しようとする課題】
【０００４】
しかし、従来の印刷指示装置では、印刷設定画面が開かれるため、ユーザは印刷設定を細かく確認しなければならず、確認を怠った場合には結局想定していた印刷物を得ることができなくなってしまう。
【０００５】
本発明は、このような従来の課題を解決するためになされたものであり、その目的とするところは、細かな確認を要することなく、想定していた印刷物を得ることが可能な印刷指示装置、印刷指示プログラム及び印刷指示方法を提供することにある。
【課題を解決するための手段】
【０００６】
上記目的を達成するため、本発明に係る印刷指示装置は、印刷を行う印刷機器に対して印刷を指示する印刷指示装置であって、前記印刷機器に印刷を指示する印刷指示操作を受け付ける印刷指示操作受付手段と、前記印刷指示操作受付手段により印刷指示操作を受け付けた場合、ユーザによって予め設定されて記憶された印刷設定を示すお気に入り情報をアイコン化して表示する表示手段と、前記表示手段によりアイコン化されて表示されたお気に入り情報を指定する指定操作を受け付ける指定操作受付手段と、前記指定操作受付手段によりアイコン化されて表示されたお気に入り情報に対する指定操作を受け付けた場合に、指定されたお気に入り情報が示す印刷設定で前記印刷機器に印刷を指示する印刷指示手段と、を備えることを特徴とする。
【０００７】
また、本発明に係る印刷指示プログラムは、印刷を行う印刷機器に対して印刷を指示する印刷指示プログラムであって、前記印刷機器に印刷を指示する印刷指示操作を受け付ける印刷指示操作受付工程と、前記印刷指示操作受付工程において印刷指示操作を受け付けた場合、ユーザによって予め設定されて記憶された印刷設定を示すお気に入り情報をアイコン化して表示する表示工程と、前記表示工程においてアイコン化されて表示されたお気に入り情報を指定する指定操作を受け付ける指定操作受付工程と、前記指定操作受付工程においてアイコン化されて表示されたお気に入り情報に対する指定操作を受け付けた場合に、指定されたお気に入り情報が示す印刷設定で前記印刷機器に印刷を指示する印刷指示工程と、をコンピュータに実行させることを特徴とする。
【０００８】
また、本発明に係る印刷指示方法は、印刷を行う印刷機器に対して印刷を指示する印刷指示方法であって、前記印刷機器に印刷を指示する印刷指示操作を受け付ける印刷指示操作受付工程と、前記印刷指示操作受付工程において印刷指示操作を受け付けた場合、ユーザによって予め設定されて記憶された印刷設定を示すお気に入り情報をアイコン化して表示する表示工程と、前記表示工程においてアイコン化されて表示されたお気に入り情報を指定する指定操作を受け付ける指定操作受付工程と、前記指定操作受付工程においてアイコン化されて表示されたお気に入り情報に対する指定操作を受け付けた場合に、指定されたお気に入り情報が示す印刷設定で前記印刷機器に印刷を指示する印刷指示工程と、を有することを特徴とする。
【発明の効果】
【０００９】
本発明によれば、印刷指示操作を受け付けた場合、お気に入り情報をアイコン化して表示し、アイコン化されて表示されたお気に入り情報に対する指定操作を受け付けた場合、指定されたお気に入り情報が示す印刷設定で印刷機器に印刷を指示する。このように、印刷指示操作が行われたとしても、印刷機器に印刷を指示せず、お気に入り情報をアイコン化したうえで表示してユーザに確認を促すこととなる。特に、お気に入り情報はアイコン化されているため、ユーザは細かな確認を行う必要がない。しかもアイコン化して表示されるお気に入り情報が指定された場合には、指定されたお気に入り情報が示す印刷設定で印刷が指示されるため、想定していた印刷物を得ることができる。従って、細かな確認を要することなく、想定していた印刷物を得ることができる。
【発明を実施するための最良の形態】
【００１０】
以下に本発明の実施の形態に基づいて、本発明を説明するが、本発明は該実施の形態に限られない。
【００１１】
図１は、本実施形態に係る印刷指示装置の全体構成を示すブロック図である。本実施形態に係る印刷指示装置１は、印刷を行うプリンタ等の印刷機器に対して印刷を指示するものである。この印刷指示装置１は、例えばパーソナルコンピュータにより構成され、ＣＰＵ（Central Processing Unit）１０と、記憶装置２０と、ＲＡＭ（Random Access Memory）３０と、表示装置４０と、入力装置５０と、通信インターフェース部６０とを備えている。
【００１２】
ＣＰＵ１０は、印刷指示装置１の全体を制御するものである。記憶装置２０は、オペレーティングシステムや各種アプリケーションを格納したものである。また、記憶装置２０は、プリンタドライバや印刷指示プログラムを格納している。ＲＡＭ３０は、記憶装置２０に記憶されるプログラムを読み出して一時保存等するものであり、ＣＰＵ１０は、ＲＡＭ３０に一時保存されたプログラムに従って、各処理を実行する。
【００１３】
表示装置４０は、各種処理内容に応じた画像等表示するものである。入力装置５０は、例えばマウスやキーボードであって、ユーザからの操作を受け付けるものである。通信インターフェース部６０は、画像情報や印刷設定の情報を印刷機器に送信するものである。
【００１４】
図２は、本実施形態に係るプリンタドライバの印刷設定画面の一例を示す図である。図２に示すように、印刷設定画面では、ユーザからの操作によってどのような印刷物を出力するかを設定可能となっている。例えば、印刷設定画面には、原稿の向きを示す項目１００と、原稿サイズを示す項目１０１と、ズーム率を示す項目１０２と、給紙トレイを選択する項目１０３と、用紙種類を選択する項目１０４とが表示されている。また、印刷設定画面には、印刷部数やソート等を指定する項目１０５と、お気に入りを選択可能な項目１０６とが表示されている。ユーザは、これらの項目１０１〜１０５についてそれぞれ入力することにより、所望の印刷物を印刷機器から出力させることができる。また、ユーザは、項目１０６を操作して自己のお気に入りを選択することによっても、所望の印刷物を印刷機器から出力させることができる。
【００１５】
図３は、お気に入りの情報を示す概念図である。図３に示すように、お気に入り情報とは、ユーザによって予め設定されて記憶された印刷設定であって、記憶装置２０に格納されている。図３に示す例の場合、お気に入り情報の名称は、「２ｉｎ１」であって、その設定情報は、「用紙サイズ＝Ａ４」「給紙トレイ＝手差し」「用紙方向＝縦」「Ｎｉｎ１＝２ｉｎ１」「印刷種類＝片面」「ステープル＝ＯＦＦ」「カラー選択＝カラー」などからなっている。お気に入り情報の名称は、図２に示す項目１０６において列挙されており、ユーザが項目１０６において列挙されるお気に入り情報から、「２ｉｎ１」を選択した場合、上記した各印刷設定に従って、印刷物を印刷機器から出力させることができる。
【００１６】
図４は、本実施形態に係るプリンタドライバの構成を示す概念図であり、図５〜図７は、印刷が実行される際に表示装置４０に表示される画像例を示す図である。図４に示すように、本実施形態に係るプリンタドライバ２００は、印刷処理モジュール２０１と、印刷設定管理モジュール２０２と、設定確認画面表示モジュール２０３と、印刷設定／お気に入り情報取得モジュール２０４とを備えている。そして、これらモジュールはユーザからの操作に応じて以下のように動作する。
【００１７】
まず、ユーザが図５に示すように、印刷したい画像を表示した状態で印刷を指示したとすると、表示装置４０は、ＣＰＵ１０からの指示を受けて、印刷機器に印刷を指示する印刷指示操作を受け付け可能な画像を表示する（図６）。そして、ユーザが印刷ボタン３００を指定する操作を行った場合、図４に示す印刷処理モジュール２０１は、印刷が指示された旨を設定確認画面表示モジュール２０３に送信する（Ｓ１）。また、設定確認画面表示モジュール２０３は、印刷設定／お気に入り情報取得モジュール２０４に対して、現在の印刷設定と、現在記憶装置２０に登録されているお気に入り情報について返信するように要求する（Ｓ２）。
【００１８】
そして、印刷設定／お気に入り情報取得モジュール２０４は、印刷設定管理モジュール２０２に対して現在の印刷設定の情報を返信するように要求する（Ｓ３）。これにより、印刷設定管理モジュール２０２は、現在の印刷設定の情報を印刷設定／お気に入り情報取得モジュール２０４に送信する（Ｓ４）。
【００１９】
その後、印刷設定／お気に入り情報取得モジュール２０４は、記憶装置２０に記憶されるお気に入り情報と、印刷設定管理モジュール２０２から取得した現在の印刷設定の情報とを、設定確認画面表示モジュール２０３に送信する（Ｓ５）。
【００２０】
以上のようにして、設定確認画面表示モジュール２０３は、記憶装置２０に記憶されるお気に入り情報と、印刷設定管理モジュール２０２から取得した現在の印刷設定の情報とを取得すると、図７に示す画像を表示装置４０に表示させる。
【００２１】
図７に示すように、表示装置４０は、ユーザにより予め設定されて記憶された印刷設定を示すお気に入り情報をアイコン化して表示する。この状態においてユーザがいずれかのアイコン３０１を指定する指定操作を行った場合、プリンタドライバは、そのアイコン３０１に該当するお気に入り情報が示す印刷設定で印刷機器に印刷を指示することとなる。例えば「標準設定」のアイコン３０１ａを指定する操作が行われた場合、プリンタドライバは、「標準設定」のお気に入り情報が示す印刷設定で、印刷機器に印刷を指示することとなる。
【００２２】
また、現在の印刷設定とお気に入り情報のいずれか１つが示す印刷設定とが合致する場合、表示装置４０は、そのお気に入り情報に対応するアイコン３０１を他のアイコンとは異なった形態で表示させる。具体的に図７に示す例の場合、現在の印刷設定と「２ｉｎ１」のお気に入り情報が示す印刷設定とが合致しているとする。この場合、表示装置４０は、「２ｉｎ１」のアイコン３０１ｂを着色して、他のアイコン３０１ａ，３０１ｃ〜３０１ｅとは異なった色で表示させる。
【００２３】
ここで、図７に示す画像は、ユーザの設定により表示及び非表示の切り替えが可能であると共に、表示する場合にはその表示時間についても設定可能となっている。再度図２を参照する。図２に示す印刷設定画面には、図７に示した設定確認画面を表示させるか否かを示すチェックボックス１０７ａ、及び自動消去時間を設定する項目１０７ｂからなる項目１０７が表示されている。ユーザは、チェックボックス１０７ａをチェックすることにより、図７に示した設定確認画面を表示させることができる。また、ユーザは、項目１０７ｂに数値を入力することにより、設定確認画面の表示時間を任意に変更することができる。
【００２４】
なお、図７に示す設定確認画面が表示されて、図２の項目１０７ｂに数値入力された表示時間が経過した場合、プリンタドライバは、印刷設定管理モジュール２０２にて管理されている現在の印刷設定で、印刷機器に印刷を指示することとなる。
【００２５】
次に、本実施形態に係る印刷指示プログラムによって、印刷指示装置１に実行される印刷指示方法について説明する。図８は、本実施形態に係る印刷指示方法の全体概要を示す概念図である。
【００２６】
図８に示すように、オペレーティングシステム（以下ＯＳと称する）上に、アプリケーション、ＯＳの印刷処理モジュール、及びプリンタドライバが存在する。そして、図６に示す印刷ボタン３００が操作された等により印刷が実行されるとする（Ｓ１０）。これにより、現在の印刷設定が引数としてＯＳの印刷処理モジュールに渡される。そして、ＯＳの印刷処理モジュールにおいて初期化処理が実行される（Ｓ１１）。次に、現在の印刷設定が引数としてプリンタドライバに渡され、プリンタドライバにおいても初期化処理が実行される（Ｓ１２）。
【００２７】
そして、初期化処理終了後、ＯＳの印刷処理モジュールは印刷開始処理を実行する（Ｓ１３）。これにより、プリンタドライバは印刷開始命令（ＳＴＡＲＴＤＯＣ）を受け、図９及び図１０に示す処理を実行した後に、印刷開始処理を実行する（Ｓ１４）。その後、ＯＳの印刷処理モジュールは、印刷すべき画像情報の描画処理を実行する（Ｓ１５）。これにより、プリンタドライバは、印刷すべき画像を、印刷機器が読み取り可能な情報（例えばＰＤＬデータ）に変換する（Ｓ１６）。
【００２８】
次に、ＯＳの印刷処理モジュールは、印刷終了処理を実行する（Ｓ１７）。これにより、プリンタドライバは印刷終了命令（ＥＮＤＤＯＣ）を受け、印刷終了処理を実行する（Ｓ１８）。そして、ＯＳの印刷処理モジュールは終了処理を実行し（Ｓ１９）、プリンタドライバについても終了処理を実行する（Ｓ２０）。これにより、プリンタドライバはＯＳ上から解放された状態となる。
【００２９】
ここで、図８に示すステップＳ１４の詳細を図９及び図１０を参照して説明する。
【００３０】
図９は、本実施形態に係る印刷指示方法の詳細を示すフローチャートである。図８に示したステップＳ１４に示す印刷開始命令があると、まず、ＣＰＵ１０は、チェックボックス１０７ａがチェックされているか否かを判断する（ＳＴ１）。チェックボックス１０７ａがチェックされていないと判断した場合（ＳＴ１：ＮＯ）、図９に示す処理は終了し、印刷処理が開始される。
【００３１】
一方、チェックボックス１０７ａがチェックされていると判断した場合（ＳＴ１：ＹＥＳ）、プリンタドライバの印刷設定／お気に入り情報取得モジュール２０４は、現在の印刷設定の情報、及び、記憶装置２０に記憶されているお気に入り情報を取得する（ＳＴ２）。その後、プリンタドライバの設定確認画面表示モジュール２０３は、図７に示したような設定確認画面を作成し、表示する（ＳＴ３）。
【００３２】
その後、ＣＰＵ１０は、図２に示した項目１０７ｂで設定される表示時間が経過したか否かを判断する（ＳＴ４）。表示時間が経過したと判断した場合（ＳＴ４：ＹＥＳ）、ＣＰＵ１０は、設定確認画面を消去し（ＳＴ５）、図９に示す処理は終了する。そして、現在の印刷設定で印刷処理が開始される。
【００３３】
一方、表示時間が経過していないと判断した場合（ＳＴ４：ＮＯ）、いずれかのアイコン３０１が指定されたか否かを判断する（ＳＴ６）。いずれのアイコン３０１についても指定されていないと判断した場合（ＳＴ６：ＮＯ）、処理はステップＳＴ４に移行する。いずれかのアイコン３０１が指定されたと判断した場合（ＳＴ６：ＹＥＳ）、ＣＰＵ１０は、設定確認画面を消去する（ＳＴ７）。
【００３４】
その後、指定されたアイコン３０１が示す印刷設定が現在の印刷設定と異なるか否かを判断する（ＳＴ８）。異ならないと判断した場合（ＳＴ８：ＮＯ）、すなわち指定されたアイコン３０１が示す印刷設定が現在の印刷設定と同じであると判断した場合（ＳＴ８：ＮＯ）、図９に示す処理は終了し、現在の印刷設定で印刷処理が開始される。
【００３５】
他方、指定されたアイコン３０１が示す印刷設定が現在の印刷設定と異なると判断した場合（ＳＴ８：ＹＥＳ）、プリンタドライバは、現在の印刷設定から、指定されたアイコン３０１が示す印刷設定に変更する（ＳＴ９）。そして、図９に示す処理は終了し、変更された印刷設定で印刷処理が開始される。
【００３６】
図１０は、図９に示した設定確認画面の作成表示処理（ＳＴ３）の詳細を示すフローチャートである。図１０に示すように、設定確認画面の作成表示処理において、設定確認画面表示モジュール２０３は、取得したお気に入り情報の名称をアイコン化して表示する（ＳＴ１０）。次に、設定確認画面表示モジュール２０３は、お気に入り情報が示す印刷設定のうち、現在の印刷設定と同じものがあるか否かを判断する（ＳＴ１１）。
【００３７】
現在の印刷設定と同じものがないと判断した場合（ＳＴ１１：ＮＯ）、図１０に示す処理は終了し、処理は図９のステップＳＴ４に移行する。一方、現在の印刷設定と同じものがあると判断した場合（ＳＴ１１：ＹＥＳ）、設定確認画面表示モジュール２０３は、現在の印刷設定と同じ印刷設定のお気に入り情報と対応するアイコン３０１について強調表示（色付け）する（ＳＴ１２）。その後、図１０に示す処理は終了する。
【００３８】
このようにして、本実施形態に係る印刷指示装置１、印刷指示プログラム及び印刷指示方法によれば、印刷指示操作を受け付けた場合、お気に入り情報をアイコン化して表示し、アイコン化されて表示されたお気に入り情報に対する指定操作を受け付けた場合、指定されたお気に入り情報が示す印刷設定で印刷機器に印刷を指示する。このように、印刷指示操作が行われたとしても、印刷機器に印刷を指示せず、お気に入り情報をアイコン化したうえで表示してユーザに確認を促すこととなる。特に、お気に入り情報はアイコン化されているため、ユーザは細かな確認を行う必要がない。しかもアイコン化して表示されるお気に入り情報が指定された場合には、指定されたお気に入り情報が示す印刷設定で印刷が指示されるため、想定していた印刷物を得ることができる。従って、細かな確認を要することなく、想定していた印刷物を得ることができる。
【００３９】
また、お気に入り情報をアイコン化して表示する時間についての入力操作を受け付ける項目１０７ｂをさらに備えるため、お気に入り情報のアイコン化表示の時間についてユーザ個別に最適化を図ることができ、印刷時における利便性を向上させることができる。
【００４０】
また、項目１０７ｂを介して入力された時間だけ、お気に入り情報をアイコン化して表示し、アイコン化されたお気に入り情報を指定する指定操作が受け付けられるまえに、上記時間が経過した場合、現在の印刷設定で印刷機器に印刷を指示する。このため、アイコン化されたお気に入り情報を指定しなければ、ユーザは、現在の印刷設定で印刷を行うことができる。従って、現在の印刷設定で印刷を行う場合に特別な操作を付加することなく、ユーザの利便性低下を抑制することができる。
【００４１】
また、現在の印刷設定が複数のお気に入り情報が示す印刷設定のいずれか１つと合致する場合、合致するお気に入り情報に対応するアイコンを他のアイコンとは異なった形態で表示する。このため、ユーザは、現在の印刷設定が、お気に入り情報と合致するか否かを知ることができ、この情報をもとに他のお気に入り情報を指定するなどのガイドとすることができる。従って、利便性を向上させることができる。
【００４２】
以上、本発明に係る印刷指示装置、印刷指示プログラム及び印刷指示方法を実施形態に基づいて説明したが、本発明はこれに限定されるものではなく、本発明の趣旨を逸脱しない範囲で、変更を加えてもよい。
【００４３】
例えば、上記実施形態では、図５に示すように、一度印刷する画像を表示装置４０上で開いてから、印刷を実行しているが、これに限らず、画像を開くことなく、印刷を実行するコントロールプリントの場合にも適用可能である。この場合、図６に示した画像は表示されず、図７に示した印刷設定画面が表示されることとなる。
【図面の簡単な説明】
【００４４】
【図１】本実施形態に係る印刷指示装置の全体構成を示すブロック図である。
【図２】本実施形態に係るプリンタドライバの印刷設定画面の一例を示す図である。
【図３】お気に入りの情報を示す概念図である。
【図４】本実施形態に係るプリンタドライバの構成を示す概念図である。
【図５】印刷が実行される際に表示装置に表示される第１画像例を示す図である。
【図６】印刷が実行される際に表示装置に表示される第２画像例を示す図である。
【図７】印刷が実行される際に表示装置に表示される第３画像例を示す図である。
【図８】本実施形態に係る印刷指示方法の全体概要を示す概念図である。
【図９】本実施形態に係る印刷指示方法の詳細を示すフローチャートである。
【図１０】図９に示した設定確認画面の作成表示処理（ＳＴ３）の詳細を示すフローチャートである。
【符号の説明】
【００４５】
１  印刷指示装置
２０  記憶装置
３０  ＲＡＭ
４０  表示装置
５０  入力装置
６０  通信インターフェース部
２０１  印刷処理モジュール
２０２  印刷設定管理モジュール
２０３  設定確認画面表示モジュール
２０４  印刷設定／お気に入り情報取得モジュール
３０１  アイコン
【図１】
2010079470.tif 000003
【図２】
2010079470.tif 000004
【図３】
2010079470.tif 000005
【図４】
2010079470.tif 000006
【図５】
2010079470.tif 000007
【図６】
2010079470.tif 000008
【図７】
2010079470.tif 000009
【図８】
2010079470.tif 000010
【図９】
2010079470.tif 000011
【図１０】
2010079470.tif 000012